(57)【要約】      （修正有）【課題】畜舎建物内部を均等に暖房したり、あるいは特定区域を局所暖房するといった各種のニーズに対応して汎用性があり、構成部分毎に容易に分解することで、畜舎建物内部から移動することが出来る暖房装置を提供する。【解決手段】各可とう性の接続ホースの端部に着脱自在の接続器１０が装着される。温水ヒーター６及び循環ポンプ４にも着脱自在の接続器１０が装着される。温水ヒーター６は、着脱自在の接続器１０によって給水部９に接続される。また、温水ヒーター６は、着脱自在の接続器１０によって循環ポンプ４に接続されるようにしてもよい。温水ヒーターユニット２に循環ポンプ４を介して着脱自在の接続器１０が装着され、可とう性のホース３が温水ヒーターユニット２に接続器１０によって着脱自在に接続される。【選択図】図１
0003200769.tif 000002
【実用新案登録請求の範囲】
【請求項１】
畜舎建物内に設置され、畜舎建物内を暖房する暖房装置であって、
温水ヒーターユニット、該温水ヒーターユニットに接続された可とう性のホース及び前記温水ヒーターユニットで生成された温水を、前記温水ヒーターユニットから前記可とう性のホースに流通させ、前記可とう性のホースから前記温水ヒーターユニットに戻して循環させる循環ポンプからなり、
前記可とう性のホースが、３つ以上の可とう性の接続ホースと、各可とう性接続ホースの端部に着脱自在に装着された接続器とからなり、３つ以上の可とう性接続ホースによる接続で、１００＋αｍ（ただし、αｍは５０ｍ以内）以上の長さに形成され、畜舎建物内部の各種の配置ニーズに対応可能とされ、
前記温水ヒーターユニットに前記循環ポンプを介してあるいは介することなく着脱自在の接続器が装着され、前記可とう性のホースが前記温水ヒーターユニットに前記接続器によって着脱自在に接続されて、畜舎建物内を暖房する暖房装置が形成され、該暖房装置が、前記着脱自在の接続器部分で、３つ以上の可とう性接続ホースと前記温水ヒーターユニットとに分解されること
を特徴とした畜舎建物内に設置される暖房装置。
【考案の詳細な説明】
【技術分野】
【０００１】
本考案は、畜舎建物内に設置される暖房装置に関する。
【背景技術】
【０００２】
鶏舎、豚舎あるいは牛舎等の畜舎建物内に暖房装置が設置される。
【０００３】
特許文献１には、畜舎を囲むように固定炉を配置し、この固定炉の燃焼ガス流路に熱交換器を配置した畜舎暖房装置が記載されている。
【０００４】
特許文献２には、熱源たる強弱２段切換えのブルーダーが取り付けられ、各ブルーダーには共通のガス供給管からガスが供給されるようにされた暖房装置が記載されている。
【０００５】
特許文献３には、床下輻射暖房用の放射器にヒートポンプで温水循環する床暖房方法が記載されている。
【０００６】
特許文献４には、ヒーターユニットが記載されている。
【先行技術文献】
【特許文献】
【０００７】
【特許文献１】特開平４−３４１１２７号公報
【特許文献２】実開昭６３−１５４１２号公報
【特許文献３】特開２００２−３２７９６１号公報
【考案の概要】
【考案が解決しようとする課題】
【０００８】
従来、畜舎建物内には、特許文献１、２に示されるように燃料を用いた暖房装置が設置されて来た。燃料を用いた暖房装置は、畜舎建物のように面積の広い区域を暖房するのに初期投資が高くなるばかりでなく、燃料を用いるために暖房管理、安全管理に手間を要するばかりでなく、畜舎建物内部を均等に暖房したり、あるいは畜舎建物内部の特定区域を暖房するといった暖房ニーズ対応の汎用性に欠けていた。特許文献３に示されるような暖房装置にあっては、ヒートポンプが使用されているが、放熱部の全体長さが畜舎建物内に設けるには短く過ぎ、畜舎建物内用の暖房装置として適用できない。特許文献４には、ヒーターユニットが記載されているが、このままでは畜舎建物内を暖房する暖房装置として適用できない。
【０００９】
本考案は、かかる点に鑑み畜舎建物のように面積の広い区域を暖房するのに初期投資を安価にし、暖房管理を安全に行うことが出来て、手間を少なくして省力し、畜舎建物内部を均等に暖房したり、あるいは特定区域を局所暖房するといった各種の暖房ニーズに対応して汎用性があり、畜舎建物対応のロングレンジで構成されたときにあっても、洗浄を容易に行うことが出来て安全で衛生的であることを確保したいという要請に対応可能な暖房装置を提供することを目的とする。
【課題を解決するための手段】
【００１０】
畜舎建物内に設置され、畜舎建物内を暖房する暖房装置であって、
温水ヒーターユニット、該温水ヒーターユニットに接続された可とう性のホース及び前記温水ヒーターユニットで生成された温水を、前記温水ヒーターユニットから前記可とう性のホースに流通させ、前記可とう性のホースから前記温水ヒーターユニットに戻して循環させる循環ポンプからなり、
前記可とう性のホースが、３つ以上の可とう性の接続ホースと、各可とう性接続ホースの端部に着脱自在に装着された接続器とからなり、３つ以上の可とう性接続ホースによる接続で、１００＋αｍ（ただし、αｍは５０ｍ以内）以上の長さに形成され、畜舎建物内部の各種の配置ニーズに対応可能とされ、
前記温水ヒーターユニットに前記循環ポンプを介して着脱自在の接続器が装着され、前記可とう性のホースが前記温水ヒーターユニットに前記接続器によって着脱自在に接続されて、畜舎建物内を暖房する暖房装置が形成され、該暖房装置が、前記着脱自在の接続器部分で、３つ以上の可とう性接続ホースと前記温水ヒーターユニットとに分解されること
を特徴とした畜舎建物内に設置される暖房装置を提供する。
【考案の効果】
【００１１】
本考案によって、可とう性の３つ以上の可とう性接続ホースが着脱自在に接続されて畜舎建物内に設置されるロングレンジの可とう性のホースとされて、循環ポンプを介して温水ヒーターユニットに着脱自在に接続され、３つ以上の可とう性接続ホースと温水ヒーターユニットとに容易に分解され得る暖房装置が形成される。これによって畜舎建物のように面積の広い区域を暖房するのに畜舎建物内部を均等に暖房したり、あるいは特定区域を局所暖房するといった各種の暖房ニーズ、すなわち配置ニーズに対応して汎用性があり、初期投資を安価にすることが出来、可燃性の燃料を用いることを要しないことで暖房管理、安全管理を行うことが出来、手間を少なくして省力し、洗浄を容易に行うことが出来て安全衛生確保の要請に十分に対応可能な暖房装置を提供することが出来る。
【図面の簡単な説明】
【００１２】
【図１】畜舎建物１内に暖房装置１００が設置された例を示す図。
【図２】温水ヒーターユニット２の構造を示し、温水ヒーターユニット２が循環ポンプ          ４及びに可とう性のホース３に接続される状況を示す図。
【図３】制御装置の制御盤３１の制御回路を示す図。
【図４】畜舎建物内の各種の暖房を行う場合についての例を示す図。
【考案を実施するための形態】
【００１３】
以下、考案を実施するための形態を図面に基づいて説明する。
【００１４】
図１は、本考案の実施例の畜舎建物内に設置される暖房装置１００の構成を示す図である。
【００１５】
図１は、畜舎建物１内に暖房装置１００が設置されるレイアウトを示す図である。
【００１６】
図１（ａ）は、その構成を示し、図１（ｂ）は、カプラー継手の詳細を示す。
【００１７】
図１（ａ）において、温水ヒーターユニット２、この温水ヒーターユニット２に接続された可とう性のホース３及び循環ポンプ４を備えて構成される。
【００１８】
温水ヒーターユニット２は、枠体５、枠体内に配置された温水ヒーター６及び制御装置７とから一体的に構成される。一体的に構成されているので、一体的に畜舎建物１外に移動し、また一体的に畜舎建物１内に移動することができる。図１（ａ）に示す例では、循環ポンプ４も枠体５に組み込まれた例を示している。したがって、この例の場合には、循環ポンプ４も温水ヒーターユニット２と一緒に一体的に移動することができるが、循環ポンプ４を枠体５から別置としたときには、温水ヒーターユニット２と循環ポンプ４とは、別々に移動される。
【００１９】
温水ヒーター６には、電熱式のヒーターが用いられる。温水ヒーターには、他の加熱ヒーターを、例えば燃焼式のヒーターを用いることができるが、電熱ヒーターとすることで、畜舎建物内の安全性を確保することが出来る。電熱式のヒーター式の温水ヒーター６の設置が勧められる。制御装置７は、循環温水量の流量制御及び温水ヒーター６の加熱温度をコントロールすることによる温度制御を行う。このために、制御装置７は、予め組み込まれた温度制御用のコンピュータプログラム並びにデータベースを備える。制御装置７には、動力コンセント８が接続される。
【００２０】
温水ヒーター６には、給水部９が接続され、給水がなされる。
循環ポンプ４は、温水ヒーターユニット２で生成された温水を、温水ヒーターユニット２から可とう性のホース３に流通させ、可とう性のホース３から温水ヒーターユニット２に戻して循環させる。
【００２１】
可とう性のホース３は、本例の場合に複数の可とう性接続ホース３Ａ、３Ｂ、３Ｃからなる。３つに限定されない。複数の接続ホースは、使用上の都合によって２つであってもよいし、４個以上であってもあってもよいが、本実施例では、３つ以上の可とう性の接続ホースが着脱自在に接続される。複数の可とう性接続ホースが３つ以上接続されて構成される。接続されたロングレンジの可とう性のホース３を形成して使用されるが、一使用形態としては、一つの接続ホースで形成された場合があってもよい。
【００２２】
各可とう性の接続ホースの端部に着脱自在の接続器１０が装着される。温水ヒーター６及び循環ポンプ４にも着脱自在の接続器１０が装着される。温水ヒーター６は、着脱自在の接続器１０によって給水部９に接続される。また、温水ヒーター６は、着脱自在の接続器１０によって循環ポンプ４に接続されるようにしてもよい。温水ヒーター６及び循環ポンプ４が枠体５内に固定されるような場合には、固定的な連結手段が採用されてよいが、温水ヒーター６と循環ポンプ４との連結に着脱自在の接続器１０が用いられるようにすることが勧められる。温水ヒーターユニット２に循環ポンプ４を介して着脱自在の接続器１０が装着され、可とう性のホース３が温水ヒーターユニット２に接続器１０によって着脱自在に接続される。
【００２３】
接続器１０の典型的は例としては、カプラー継手が使用可能である。このため、図１（ｂ）では、カプラー継手が１０として図示されている。以後、カプラー継手１０を用いて説明するが、接続器は、カプラー継手に限定されず、着脱自在の継手であればよい。
【００２４】
カプラー継手１０によって図１（ｂ）に示すように、接続部が形成される。カプラー継手１０は、オス型部（左側）とメス型部（右側）とから着脱可能に構成されており、手による操作で容易に着脱される。このような着脱自在のカプラー継手１０、市販されているので、市販品を使用することで安価に可とう性接続ホースの接続によるロングレンジの可とう性ホース３を形成することができる。この接続部は、上述したように着脱自在の機能を持つ。
【００２５】
温水ヒーターユニット２及び循環ポンプ４にも着脱自在のカプラー継手１０が装着された。
【００２６】
可とう性ホースの典型的な例としては、ソフトブレードホースが使用される。ソフトブレードホースは、食品衛生法に適合し、機器の配管・噴霧器・ポンプなどの幅広い用途に使える特殊配合の産業用、工業用ホースとして知られ、耐圧性、耐寒性に優れている。ソフトブレードホースについての性能・性状を示せば次のようである。
用途：各種機器の配管・補修
材質：主材質／ＰＶＣ、補強材／ポリエステル糸
適合流体：水
使用流体温度：０〜６０℃
使用温度範囲：０〜６０℃
色：クリアー
構造：糸入り二重管ホース
内容量：１巻（５０ｍ）
ソフトブレードホース以外であっても、−５〜６０℃の使用温度範囲内の使用性能を持ち、０．７パスカルの耐圧性を有する可とう性のホースであれば良好に使用され得る。例えば、塩ビであっても使用可能である。
【００２７】
ソフトブレードホースは、上述したように１巻で５０ｍの長さを有しており、畜舎内の配回し長さが典型的な１３０ｍとすると、３箇所での着脱自在の接続器５を用いた接続がなされる。可とう性のホースであるソフトブレードホースを３つ接続することで、畜舎建物内における大概の配置ニーズに対応しての配設が可能になり、現場ニ―ズに合わせた施工を可能とし、汎用性のある配設を可能にする。
【００２８】
上述したソフトブレードホースその他のホースの制約に鑑みて、可とう性のホース３が、３つ以上の可とう性接続ホース３Ａ、３Ｂ、３Ｃと、各可とう性接続ホースの端部に着脱自在に装着された接続器であるカプラー継手１０とからなり、３つ以上の可とう性接続ホースによる接続が変更されることで、畜舎建物内部の各種の配置ニーズに対応可能とされる。畜舎建物に大きさに対応して４つ以上の接続ホースが使用され得る。
【００２９】
このように、可とう性のホース３が、３つ以上の可とう性接続ホースと、各可とう性接続ホースの端部に着脱自在に装着された接続器であるカプラー継手１０とからなり、３つ以上の接続ホースによる接続で、１００＋αｍ（ただし、αｍは５０ｍ以内）以上の長さに形成され、畜舎建物内部の各種の配置ニーズに対応可能とされた。１００＋αｍの可とう性ホース３は、５０ｍ、５０ｍおよびαｍに、接続部で切り離し、分解することができる。５０ｍの接続ホースは、畜舎建物に対応して２つ以上の複数とすることができる。
【００３０】
循環ポンプ４は、可とう性のホース３を備えた系統に設けられ、温水ヒーター６に循環ポンプ４を介してあるいは介することなく着脱自在の接続器であるカプラー継手１０が装着され、可とう性のホース３が温水ヒーターユニット２に接続器であるカプラー継手１０によって着脱自在に接続されて、畜舎建物内を暖房する暖房装置１００が形成される。循環ポンプ４にカプラー継手を設けることは、循環ポンプ４は、温水ヒートユニットに１対１の関係で設けられるものであるので、温水ヒートユニットに一体に設けたと同義なものとなる。暖房装置１００が、接続器であるカプラー継手１０の接続部で、３つ以上の可とう性接続ホース３Ａ、３Ｂ、３Ｃと温水ヒーターユニット２とに分解され得ることになる。循環ポンプ４を図２に示すように、温水ヒートユニット２に対して別体として設けることもできる。この場合には、温水ヒーターユニット２と循環ポンプ４間にも接続部が設けられるが、いずれにしても温水ヒーターユニット２に循環ポンプ４を介して着脱自在の接続器が装着される。
【００３１】
図２は、温水ヒーターユニット２の構造を示し、温水ヒーター６と循環ポンプ４との接続構造の１例を示す図である。双方を接続するのにカプラー継手１０が用いられる。  
図２において、温水ヒーター６は、湯槽タンク１１、湯槽タンク１１に固定され、ヒーター部分１３が湯槽タンク１１内に配置される電気ヒーター１２を主な構成部品として構成され、湯槽タンク１１に給水配管１４が接続され、湯表面にボールタップが浮かされて設置され、湯面制御に用いられ、自動給水が可能とされる。湯槽タンク１１には、さらに温度センサー１６が設けられて、計測されたデータが湯温制御に用いられる。湯槽タンク１１には、さらに空焚き防止装置１７が附属される。湯槽タンク１１の底面付近に湯出口配管１８が設置され、上面付近に湯戻り部１９が形成される。この湯戻り部は、可とう性ホースの最終の接続可とう性ホースの接続器と湯槽タンク１１に設けた接続器とで構成される。
【００３２】
温水ヒーター６としては、市販されている温水ヒーターを使用することで、暖房装置１００を安価に製造することが出来る。
【００３３】
湯槽タンク１１の外方の近傍にはモーター直結の循環ポンプ４が配置される。循環ポンプ４としては、市販されている、例えばマグネットポンプを使用することで、暖房装置１００を安価に製造することが出来る。循環ポンプ４の入口側配管２１及び循環ポンプ４の温水ヒーター６の出口側配管１８の間にカプラー継手１０が設けられる。循環ポンプ４の入口側配管２２と接続ホース３Ａとの間にもカプラー継手１０が設けられる。また、接続ホース３Ｃと温水ヒーター６の入口側配管１９との間にもカプラー継手１０が設けられる。給水部接続ホース１４Ａと温水ヒーター６の入口側配管２３との間にもカプラー継手１０が設けられる。このように、温水ヒーター６の可とう性のホース３への接続部を介しての接続は、温水ヒーターユニット２の可とう性のホース３への接続部を介しての接続を意味する。
【００３４】
制御装置７は、制御盤を備える。
【００３５】
図３は、制御盤３１の制御回路を示す。制御回路は、温度調節器３２とフロートレスリレー３３を備えて、電気ヒーター１２の電気通電時間回路３４の制御された電気通電を行う。このような制御回路は、よく知られており、これ以上の説明を行わない。
【００３６】
図４は、畜舎建物内どの配置ニーズに対応した暖房装置の１００の配置の例を示す図である。本実施例は、各種の配置ニーズに対応した配置が可能であり、各種の暖房が可能で汎用性を持つ。以下、図４を基に、各種の配置ニーズに対応した暖房に事例について説明する。
【００３７】
図４（ａ）は、温水ヒーターユニット２を一つ用いた単独式で、局所暖房を行う例を示す。可とう性のホース３が、可とう性の３つの接続ホースと、各可とう性の接続ホースの端部に着脱自在に装着されたカプラー継手１０を備える。可とう性のホース３は、畜舎建物１内の局所に横長に配置された。一つの温水ヒーターユニット２で局所的に、暖房を行うことが出来る。
【００３８】
分解された可とう性の３つの接続ホースと循環ポンプ４が一体化された温水ヒーターユニット２は、畜舎建物１から定期的に容易に搬出され、畜舎建物外で洗浄に供される。また、冬季が終わった時に畜舎建物１から容易に搬出され、畜舎建物外で洗浄に供され、次の冬季の到来に備えられる。洗浄を通して、暖房装置１００の衛生上清潔さが保たれ、安全衛生確保の要請に十分に対応可能な暖房装置が提供される。
【００３９】
図４（ｂ）は、畜舎建物内の全域暖房を行う場合についての例を示す。この例では、畜舎建物内周囲に暖房装置１００が配置された例を示し、温水ヒーターユニット２が畜舎建物内に対向して２台設置された。各温水ヒーターユニット２を結ぶ可とう性のホース３にそれぞれカプラー継手が設置される。二つの温水ヒーターユニット２で畜舎建物内の全域を均一温度にすることが出来る。得られる効果は、図４（ａ）と同様である。
【００４０】
図４（ｃ）は、温水ヒーターユニット２を一つ用いた単独式で、局所暖房を行う例を示す。可とう性のホース３が、可とう性の３つの接続ホースと、各可とう性の接続ホースの端部に着脱自在に装着されたカプラー継手１０を備える。可とう性のホース３は、畜舎建物１内の局所に矩形状に配置された。一つの温水ヒーターユニット２で矩形状領域を局所的に、暖房を行うことが出来る。得られる効果は、図４（ａ）と同様である。
【００４１】
図４（ｄ）は、畜舎建物内の全域暖房を行う場合についての例を示す。この例では、畜舎建物内に８の字状に暖房装置１００が配置された例を示し、温水ヒーターユニット２が畜舎建物内に対向して２台設置された。各温水ヒーターユニット２を結ぶ可とう性のホース３にそれぞれカプラー継手が設置される。二つの温水ヒーターユニット２で畜舎建物内の全域を均一温度にすることが出来る。得られる効果は、図４（ａ）と同様である。
【００４２】
図４（ｃ）は、温水ヒーターユニット２を一つ用いた単独式で、一階（１Ｆ）二階（２Ｆ）同時暖房を行う例を示す。可とう性のホース３が、可とう性の３つの接続ホースと、各可とう性の接続ホースの端部に着脱自在に装着されたカプラー継手１０を備える。可とう性のホース３は、畜舎建物１内一階二階に配置されて接続して配置された。一つの温水ヒーターユニット２で矩形状領域を局所的に、暖房を行うことが出来る。得られる効果は、図４（ａ）と同様である。
【００４３】
本実施例によれば、畜舎建物のように面積の広い区域を暖房するのに初期投資を安価にし、燃料を用いた暖房装置とすることなく暖房管理を安全に行うことが出来て、手間を少なくして省力し、畜舎建物内部を均等に暖房したり、あるいは特定区域を局所暖房するといった各種のニーズに対応して汎用性があり、可とう性接続ホースに接続によるロングレンジで構成されたときに、分解が容易であるので洗浄を容易に行うことが出来て安全上衛生上の確保要請に十分に対応可能な暖房装置を提供することが出来る。
【符号の説明】
【００４４】
１…畜舎建物、２…温水ヒーターユニット、３…可とう性ホース、３Ａ、３Ｂ、３Ｃ…可とう性接続ホース、４…循環ポンプ、５…枠体、６…温水ヒーター、７…制御装置、９…給水部、１０接続器（カプラー継手）、１１…湯槽タンク、１２…電気ヒーター、１３…ヒーター部分１３、１００…暖房装置。
【図１】
0003200769.tif 000003
【図２】
0003200769.tif 000004
【図３】
0003200769.tif 000005
【図４】
0003200769.tif 000006